(57)【要約】【課題】一時的に呼吸パイプが水没した場合でもモータ部内に水が浸入するのを防止することができるウォッシャ装置を得る。【解決手段】タンク１２の壁部１２Ａに形成された取付孔１４にグロメット本体５２を挿入し、グロメット本体５２の内周面にポンプ装置２０のハウジング２２を挿入する。この状態で、グロメット本体５２に一体的に設けられた装着部５４は、モータ部内に連通する呼吸パイプ３８に液密に装着される。そして、装着部５４の連通孔７２に設けられた微細多孔質フィルム７４が、呼吸パイプ３８への液体の浸入を遮断すると共に、気体の通過を可能とする。これにより、組付け部品点数を増加させることなく、モータ部内と外気の気圧差を解消させ、一時的に呼吸パイプ３８が水没した場合でもモータ部内に水が浸入するのを防止することができる。【選択図】図１
2010064503.tif 000002
【特許請求の範囲】
【請求項１】
モータ部と前記モータ部によって駆動するポンプ部を備えるポンプ装置と、
液体が貯溜されるタンクの壁部に形成された取付孔に挿入されると共に、内周面に前記ポンプ装置の一部が挿入されることで前記ポンプ装置を前記取付孔に保持する円筒状のグロメット本体と、
前記グロメット本体に一体的に設けられると共に、前記ポンプ装置の一部が前記グロメット本体へ挿入された状態で、前記ポンプ装置に設けられた前記モータ部内に連通する呼吸パイプが液密に装着される装着部と、
前記装着部に形成された連通孔に設けられ、前記呼吸パイプが前記装着部に液密に装着された状態で、前記呼吸パイプへの液体の浸入を遮断すると共に、気体の通過を可能とする防水シートと、
を備えるウォッシャ装置。
【請求項２】
前記呼吸パイプは、前記ポンプ装置が前記グロメット本体によって前記タンクの壁部に形成された前記取付孔に取り付けられた状態で、重力方向下方に延びており、
前記ポンプ装置には、前記装着部が前記呼吸パイプに液密に装着された状態で、前記装着部の少なくとも一部を囲繞すると共に、重力方向下方に延出形成された滴切壁が設けられる請求項１に記載のウォッシャ装置。
【請求項３】
前記防水シートは、樹脂製の多孔質フィルムである請求項１又は２に記載のウォッシャ装置。
【請求項４】
前記グロメット本体及び前記装着部は、弾性材料によって一体的に形成され、
前記装着部には、前記呼吸パイプを収容する呼吸パイプ収容部が設けられ、
前記呼吸パイプの長さは、前記呼吸パイプ収容部の長さよりも長くされ、
前記呼吸パイプの開放口が、前記連通孔の孔周壁面に当る請求項１〜３何れか１項に記載のウォッシャ装置。
【発明の詳細な説明】
【技術分野】
【０００１】
本発明は、ポンプ装置がグロメットによってタンクに取り付けられるウォッシャ装置に関する。
【背景技術】
【０００２】
特許文献１には、ポンプ装置をタンクに取り付ける際に使用されるゴム製のグロメットが記載されている。このグロメットには、ポンプ装置がグロメットによってタンクに固定された状態で、ポンプ装置に設けられたモータ部の呼吸孔に連通する通気孔が設けられている。
【０００３】
そして、この通気孔を迷路のように形成することで、外部からモータ部内へ水が浸入するのを抑制し、さらに、モータ部内を呼吸孔及び通気孔を介して大気に開放するようになっている。
【特許文献１】特開平１１−１１７９００号公報
【発明の開示】
【発明が解決しようとする課題】
【０００４】
しかしながら、モータ部の呼吸孔（呼吸パイプ）が連通するグロメットの通気孔は、単に迷路構造となっているだけである。このため、水の浸入を抑制する構造となっているものの通気孔が水没するような場合には、モータ部内と大気との気圧差によって水がモータ部内に吸い込まれてしまうことが考えられる。
【０００５】
本発明は、上記事実を考慮して、一時的に呼吸パイプが水没した場合でもモータ部内に水が浸入するのを防止することが課題である。
【課題を解決するための手段】
【０００６】
本発明の請求項１に係るウォッシャ装置は、モータ部と前記モータ部によって駆動するポンプ部を備えるポンプ装置と、液体が貯溜されるタンクの壁部に形成された取付孔に挿入されると共に、内周面に前記ポンプ装置の一部が挿入されることで前記ポンプ装置を前記取付孔に保持する円筒状のグロメット本体と、前記グロメット本体に一体的に設けられると共に、前記ポンプ装置の一部が前記グロメット本体へ挿入された状態で、前記ポンプ装置に設けられた前記モータ部内に連通する呼吸パイプが液密に装着される装着部と、前記装着部に形成された連通孔に設けられ、前記呼吸パイプが前記装着部に液密に装着された状態で、前記呼吸パイプへの液体の浸入を遮断すると共に、気体の通過を可能とする防水シートと、を備えることを特徴とする。
【０００７】
上記構成によると、タンクの壁部に形成された取付孔に円筒状のグロメット本体を挿入し、グロメット本体の内周面にポンプ装置の一部を挿入、もしくは、グロメット本体の内周面にポンプ装置の一部を挿入してポンプ装置と共にグロメット本体をタンクの取付孔に挿入することでポンプ装置が取付孔に保持される。
【０００８】
この状態で、グロメット本体に一体的に設けられた装着部は、ポンプ装置に設けられたモータ部内に連通する呼吸パイプに液密に装着される。そして、装着部の連通孔に設けられた防水シートが、呼吸パイプへの液体の浸入を遮断すると共に、気体の通過を可能とする。
【０００９】
このように、防水シートを備えた装着部をグロメット本体と一体的に設けることで、組付け部品点数を増加させることなく、モータ部内と外気の気圧差を解消させ、一時的に呼吸パイプが水没した場合でもモータ部内に水が浸入するのを防止することができる。
【００１０】
本発明の請求項２に係るウォッシャ装置は、請求項１に記載の構成において、前記呼吸パイプは、前記ポンプ装置が前記グロメット本体によって前記タンクの壁部に形成された前記取付孔に取り付けられた状態で、重力方向下方に延びており、前記ポンプ装置には、前記装着部が前記呼吸パイプに液密に装着された状態で、前記装着部の少なくとも一部を囲繞すると共に、重力方向下方に延出形成された滴切壁が設けられることを特徴とする。
【００１１】
上記構成によれば、ポンプ装置が一時的に水没することでポンプ装置の外表面に付着した水滴は、ポンプ外表面を伝って重力方向下方に流れる。しかし、外表面を伝って重力方向下方に流れる水滴は、重力方向下方に延出形成された滴切壁によってポンプ装置の外表面から落下する。このため、装着部に水滴が伝わるのが抑制され、装着部とポンプ装置の合わせ目から水滴が侵入するのを防止することができる。
【００１２】
本発明の請求項３に係るウォッシャ装置は、請求項１又は２に記載の構成において、前記防水シートは、樹脂製の多孔質フィルムであることを特徴とする。
【００１３】
上記構成によれば、防水シートは樹脂製の多孔質フィルムである。こように、防水シートとして汎用品を用いることで、一時的に呼吸パイプが水没した場合でもモータ部内に液体が浸入するのを防止することができる。
【００１４】
本発明の請求項４に係るウォッシャ装置は、請求項１〜３何れか１項に記載の構成において、前記グロメット本体及び前記装着部は、弾性材料によって一体的に形成され、前記装着部には、前記呼吸パイプを収容する呼吸パイプ収容部が設けられ、前記呼吸パイプの長さは、前記呼吸パイプ収容部の長さよりも長くされ、前記呼吸パイプの開放口が、前記連通孔の孔周壁面に当ることを特徴とする。
【００１５】
上記構成によれば、装着部の呼吸パイプ収容部の長さよりも呼吸パイプの長さが長く設定されており、さらに、呼吸パイプの開放口が連通孔の孔周壁面に当てられている。
【００１６】
このため、装着部の弾性によって呼吸パイプの開放口に連通孔の孔周壁面を容易に密着させることができる。
【発明を実施するための最良の形態】
【００１７】
本発明の第１実施形態に係るウォッシャ装置の一例について図１〜図５に従って説明する。
【００１８】
（全体構成）
図１，図５に示されるように、ウォッシャ装置１０は、ウォッシャ液（洗浄液）Ｗを貯留するタンク１２と、タンク１２の取付孔１４に装着されたグロメット１６と、このグロメット１６を介在させて取付孔１４に液密的に取付けられたポンプ装置２０を主要構成要素としている。そして、取付孔１４は、円形状とされており、タンク１２の底部近傍の壁部１２Ａに形成されている。
【００１９】
また、このポンプ装置２０は、タンク１２内のウォッシャ液Ｗをウォッシャノズル（不図示）へ圧送するものであり、略円柱形状のハウジング２２と、ハウジング２２の一端側に配設されたコネクタ部２４を備えている。
【００２０】
さらに、ハウジング２２の他端側（図１紙面左側）には吸入口２６が設けられ、上記コネクタ部２４と同じ一端側（図１紙面右側）には吐出口２８が設けられている。そして、ポンプ装置２０は、ハウジング２２の軸線方向（図１に示すＧ方向）に沿って吸入口２６側から取付孔１４に挿入され、ハウジング２２の一部がタンク１２内に配置されるよう取付孔１４に取り付けられている。
【００２１】
また、ハウジング２２内の図示せぬモータ部には、電動モータが収容されており、電動モータはコネクタ部２４から電源供給されることによって作動するように構成されている。そして、電動モータが作動すると電動モータの回転軸に固定されたインペラ（不図示）が回転され、モータ室と液密に区画された図示せぬポンプ部に吸入口２６からウォッシャ液Ｗが吸い込まれ、吸い込まれたウォッシャ液Ｗは、昇圧された状態で吐出口２８から送出される。送出されるウォッシャ液Ｗは、吐出口２８に接続された不図示のホースを経由してウォッシャノズルへ圧送されるようになっている。
【００２２】
さらに、ポンプ装置２０には、モータ部の内部を外部（大気）に連通する呼吸パイプ３８が設けられている。これにより、電動モータ自身の発熱や雰囲気温度に変化があっても、モータ部の内部圧力は大気圧と同じになり（内外で相対的な気圧差が無くなり）、水や塵をモータ部内に吸い込むことを防止するようになっている。なお、呼吸パイプ３８については詳細を後述する。
【００２３】
また、ハウジング２２には、軸線方向の中間部位にグロメット１６を取付けるための略円筒状のグロメット取付部３０が形成されている。そして、このグロメット取付部３０の吸入口２６側には、グロメット取付部３０よりも拡径されたフランジ状の第１規制部３２が形成され、吐出口２８側には、同様にグロメット取付部３０よりも拡径されたフランジ状の第２規制部３４が形成されている。
【００２４】
このグロメット取付部３０には、第１規制部３２と第２規制部３４の軸方向中間点よりもやや第１規制部３２寄り、すなわち、タンク１２の壁部１２Ａのタンク内部側に位置するように、２重のシール突起３６が並列してグロメット取付部３０の外周面３０Ａの全周にわたって連続して形成されている。
【００２５】
このシール突起３６は、グロメット１６の内周面４０と液密状態で当接するシール部である。本例のシール突起３６は、外周面３０Ａから断面略三角形状に突出するように形成されている。
【００２６】
（要部構成）
次に、グロメット１６と呼吸パイプ３８等について詳細に説明する。
【００２７】
図４（Ａ）（Ｂ）に示されるように、グロメット１６は、取付孔１４（図１参照）に取り付けられる前述したグロメット本体５２と、呼吸パイプ３８（図１参照）に液密に装着される装着部５４を備えており、弾性材料としてのゴム材により一体的に形成されている。なお、グロメット１６の素材である弾性材料は、エラストマー材（ゴム状弾性ポリマ）等を用いてもよい。
【００２８】
図３、図４に示されるように、グロメット本体５２は、全体として略円筒状の部材であり、図１に示すハウジング２２の外周面３０Ａと取付孔１４との間をシールすると共に、ポンプ装置２０を取付孔１４に保持するものである。
【００２９】
図３に示されるように、このグロメット本体５２は、外観上、円筒状の円筒部５６と、円筒部５６の右側（図３紙面右側）に連続して形成され円筒部５６よりも拡径されたフランジ状のグロメットガイド５８と、円筒部５６の左側（図３紙面左側）に連続して形成され円筒部５６よりも径方向外側へ突出する断面山型の環状の拡径部６４とを備えて構成されている。
【００３０】
また、円筒部５６には、わずかにグロメットガイド５８寄りに円筒部５６の外周面５６Ａから径方向外側へ突出するように、断面略三角形状をなす２重のリング状のグロメットリブ６０が形成されている。本例では、２本のグロメットリブ６０が並列して外周面５６Ａの全周にわたって連続して設けられている。
【００３１】
さらに、グロメット本体５２の軸方向長さ（図中長さＸ）は、ポンプ装置２０のハウジング２２の第１規制部３２と第２規制部３４の間の長さ（図１に示す長さＹ）よりもわずかに小さく設定されている。したがって、グロメット本体５２にポンプ装置２０が挿入されグロメット取付部３０にグロメット１６が嵌り込んだ状態では、ポンプ装置２０は第１規制部３２および第２規制部３４によって軸方向の移動が規制される。
【００３２】
すなわち、ポンプ装置２０にタンク１２から引き抜く方向の外力が掛かった場合には、第１規制部３２がグロメット本体５２の一端部と当接し、それ以上の移動が規制される。また、ポンプ装置２０にタンク１２内へ押し込む方向の外力が掛かった場合には、第２規制部３４がグロメット本体５２の他端部と当接し、それ以上の移動が規制されるようになっている。
【００３３】
また、グロメット本体５２の左右両端部を内周側で連結する内周面４０には、軸方向に略同径の円周面部４０Ａと、円周面部４０Ａの左側に連続して形成され円周面部４０Ａよりも縮径するように形成された縮径部４０Ｂと、円周面部４０Ａの右側に連続して形成され開口側ほど拡径する斜面部４０Ｃとが形成されている。
【００３４】
そして、円筒部５６の外周面５６Ａの外径は取付孔１４の内径と略同一（詳しくは、取付孔１４の内径よりも若干大きい）に形成されている。これにより、取付孔１４にグロメット本体５２を挿入すると、グロメット本体５２は取付孔１４との当接部位である円筒部５６がわずかに縮径され弾性圧縮された状態となる。そして、２重のリング状のグロメットリブ６０が、取付孔１４の縁部と密着して取付孔１４とグロメット本体５２との間の水密性が確保されるようになっている。
【００３５】
また、円筒部５６の円周面部４０Ａの内径は、ハウジング２２のグロメット取付部３０の外周面３０Ａ（図１参照）の外径と略同一（詳しくは、外周面３０Ａの外径よりも若干小さい）に形成されている。これにより、内周面４０にポンプ装置２０を挿入すると、グロメット本体５２は、グロメット取付部３０によって内周面４０がわずかに拡径され弾性変形した状態となる。そして、２重のシール突起３６（図１参照）が、グロメット本体５２の内周面４０と密着してグロメット本体５２とグロメット取付部３０との間の水密性が確保されるようになっている。
【００３６】
一方、図１に示されるように、モータ部の内部を外部（大気）に連通する呼吸パイプ３８は、ポンプ装置２０がグロメット本体５２によってタンク１２の壁部１２Ａに形成された取付孔１４に取り付けられた状態で、重力方向下方に延びている。さらに、重力方向下方の端部には、モータ部の内部の空気を外部（大気）に開放する開放口３８Ａが設けられている。
【００３７】
また、図３、図４に示されるように、呼吸パイプ３８に液密に装着される装着部５４は、外径形状略立方体状とされており、呼吸パイプ３８を収容する円柱状の呼吸パイプ収容部７０が形成されている。そして、呼吸パイプ３８の長さ（図１に示す長さＣ）は、呼吸パイプ収容部７０の長さ（図３に示す長さＺ）よりも長くされている。
【００３８】
さらに、呼吸パイプ収容部７０の下側には、呼吸パイプ収容部７０よりも縮径された連通孔７２に設けられ、連通孔７２の下端は、装着部５４の下面５４Ａに達して開放されている。つまり、呼吸パイプ３８の開放口３８Ａは、連通孔７２の孔周壁面８０に当る構成となっている（図１参照）。
【００３９】
また、装着部５４の下面５４Ａには、連通孔７２を覆うように、液体の浸入を遮断すると共に、気体の通過を可能とする防水シートとしての樹脂製の微細多孔質フィルム７４が接着剤により下面５４Ａに接合固着されて設けられている。つまり、呼吸パイプ３８を通る気体は、微細多孔質フィルム７４を通して外部（大気）に開放されている構成となっている。なお、防水シートとしては、一例として、ポリテトラフルオロエチレン（ＰＴＦＥ）より形成されるシート部材等を使用することができる。
【００４０】
さらに、装着部５４には、呼吸パイプ３８を呼吸パイプ収容部７０に収容する際に、呼吸パイプ３８が通過する装着開口７６が、グロメット本体５２をポンプ装置２０に装着する方向（図３に示す矢印Ｂ方向）に開口している。さらに、装着開口７６を構成する３つの開口面７８Ａ、７８Ｂ、７８Ｃは、外側に向けて装着開口７６を広げるように、テーパ面とされている。
【００４１】
この構成により、ポンプ装置２０をグロメット本体５２に装着させようとすると同時に呼吸パイプ３８が装着部５４の呼吸パイプ収容部７０に収容される構成となっている。詳細には、ポンプ装置２０を図１に示す矢印Ｇ方向に移動させてポンプ装置２０をグロメット本体５２に装着させようと、呼吸パイプ３８が装着開口７６を通過しようとする。そして、呼吸パイプ３８がテーパ状の開口面７８Ａ、７８Ｂ、７８Ｃと当接し、開口面７８Ａ、７８Ｂ、７８Ｃを押圧する。開口面７８Ａ、７８Ｂ、７８Ｃが押圧されると、装着部５４が弾性変形して装着開口７６が広がり、呼吸パイプ３８が呼吸パイプ収容部７０に収容されて装着部５４が弾性復帰する。これにより、呼吸パイプ３８が液密に装着部５４に装着される構成となっている。
【００４２】
一方、図２に示されるように、ポンプ装置２０には、呼吸パイプ３８が装着部５４に液密に装着された状態で、装着部５４の一部を囲繞するように、滴切壁８２が設けられている。詳細には、２枚の板状の滴切壁８２が、装着部５４を挟むように、重力方向下方に向けて延設されている。
【００４３】
これにより、ポンプ装置２０が一時的に水没することでポンプ装置２０の外表面に水滴が付着した場合に、付着した水滴はポンプ装置外表面を伝って重力方向下方に流れるが、外表面を伝って重力方向下方に流れる水滴は、滴切壁８２によってポンプ装置２０の外表面から落下し、装着部５４とポンプ装置２０の合わせ目に浸入しないようになっている。
【００４４】
（作用・効果）
以上説明した構成によれば、図１に示されるように、タンク１２の壁部１２Ａに形成された円形状の取付孔１４に円筒状のグロメット本体５２を挿入し、グロメット本体５２の内周面４０にポンプ装置のハウジング２２のグロメット取付部３０を挿入することで、ポンプ装置２０がタンク１２の取付孔１４に保持される。
【００４５】
このように、グロメット本体５２にポンプ装置２０を保持させようとすると同時にポンプ装置２０に設けられた呼吸パイプ３８が装着部５４の呼吸パイプ収容部７０に収容される。
【００４６】
つまり、図２、図３、図４に示されるように、呼吸パイプ３８が、装着開口７６を通過しようとすると、呼吸パイプ３８がテーパ状の開口面７８Ａ、７８Ｂ、７８Ｃと当接し、開口面７８Ａ、７８Ｂ、７８Ｃを押圧する。そして、開口面７８Ａ、７８Ｂ、７８Ｃが押圧されると、装着部５４が弾性変形して装着開口７６が広がり、呼吸パイプ３８が呼吸パイプ収容部７０に収容されて装着部５４が弾性復帰する。これにより、呼吸パイプ３８が液密に装着部５４に装着される。また、装着された呼吸パイプ３８の開放口３８Ａは、連通孔７２の孔周壁面８０に当る。
【００４７】
ここで、連通孔７２を覆うように、液体の浸入を遮断すると共に、気体の通過を可能とする防水シートとしての樹脂製の微細多孔質フィルム７４が接着剤により下面５４Ａに接合固着されて設けられている。つまり、微細多孔質フィルム７４が、呼吸パイプ３８への液体の浸入を遮断すると共に、呼吸パイプ３８への気体の通過を可能としている。
【００４８】
このように、微細多孔質フィルム７４をグロメット１６の装着部５４に設けることで、組付け部品点数を増加させることなく、モータ部内と外気の気圧差を解消させ、一時的に呼吸パイプが水没した場合でもモータ部内に水が浸入するのを防止することができる。
【００４９】
また、装着部５４を挟むように滴切壁８２を設けることで、装着部５４とポンプ装置２０の合わせ目に水滴が浸入するのを抑制することで、呼吸パイプからモータ部内に水が浸入するのを防止することができる。
【００５０】
また、防水シートを樹脂製の微細多孔質フィルム７４とすることで、防水シートとして汎用品を用いることができ、一時的に呼吸パイプ３８が水没した場合でもこの微細多孔質フィルム７４がモータ部内に水が浸入するのを防止することができる。
【００５１】
また、呼吸パイプ３８の長さを呼吸パイプ収容部７０の長さよりも長くすることで、装着部５４の弾性によって呼吸パイプ３８の開放口３８Ａに連通孔７２の孔周壁面８０を容易に密着させることができる。
【００５２】
次ぎに、本発明のウォッシャ装置の第２実施形態を図６、図７に従って説明する。なお、第１実施形態と同一部材については、同一符号を付してその説明を省略する。
【００５３】
図６、図７に示されるように、本第２実施形態では、ポンプ装置２０に設けられた呼吸パイプ９０は、第１実施形態のように重力方向下方に直線状に延設されておらず、Ｌ字状に屈曲している。
【００５４】
詳細には、呼吸パイプ９０は、重力方向下方に向けて延設されて屈曲部９０Ａで装着部１００に向けて曲げられ、呼吸パイプ９０の開放口９０Ｂは、略水平方向に向けて開放されている。
【００５５】
さらに、装着部１００には、呼吸パイプ９０の開放口９０Ｂを収容すると共に、天井が閉じられた呼吸パイプ収容部１０２が設けられている。そして、呼吸パイプ９０の開放口９０Ｂを呼吸パイプ収容部１０２に収容する際に、呼吸パイプ９０の開放口９０Ｂを呼吸パイプ収容部１０２に導く、すり鉢状のテーパ面で構成されたガイド面１０４が形成されている。
【００５６】
この構成により、ポンプ装置２０をグロメット本体５２に装着させようとすると同時に呼吸パイプ９０の開放口９０Ｂが装着部１００の呼吸パイプ収容部１０２に収容されるようになっている。詳細には、ポンプ装置２０を図６に示す矢印Ｇ方向に移動させてポンプ装置２０をグロメット本体５２に装着させようと、呼吸パイプ９０の開放口９０Ｂがガイド面１０４に案内されて呼吸パイプ収容部１０２に収容される。
【００５７】
このように、呼吸パイプ９０を屈曲部９０Ａで屈曲させ、呼吸パイプ９０の開放口９０Ｂを装着部１００に向けることで、呼吸パイプ９０の開放口９０Ｂを装着部１００の呼吸パイプ収容部１０２に収容する際に、装着部１００を大きく弾性変形させることなく、開放口９０Ｂを呼吸パイプ収容部１０２に収容することができる。
【００５８】
なお、上記実施形態では、微細多孔質フィルム７４が装着部５４の連通孔７２を覆うように外側の表面に接合固着したが、これに限定されず、連通孔７２の孔周壁面８０に接合固着してもよい。
【図面の簡単な説明】
【００５９】
【図１】本発明の第１実施形態に係るウォッシャ装置を示した断面図である。
【図２】本発明の第１実施形態に係るウォッシャ装置を示した拡大正面図である。
【図３】本発明の第１実施形態に係るウォッシャ装置に採用されたグロメットの一部断面を含んだ側面図である。
【図４】（Ａ）（Ｂ）本発明の第１実施形態に係るウォッシャ装置に採用されたグロメットの斜視図である。
【図５】本発明の第１実施形態に係るウォッシャ装置を示した全体正面図である。
【図６】本発明の第２実施形態に係るウォッシャ装置を示した断面図である。
【図７】本発明の第２実施形態に係るウォッシャ装置を示した拡大正面図である。
【符号の説明】
【００６０】
１０・・・ウォッシャ装置、１２・・・タンク、１２Ａ・・・壁部、１４・・・取付孔、１６・・・グロメット、２０・・・ポンプ装置、３８・・・呼吸パイプ、３８Ａ・・・開放口、５２・・・グロメット本体、５４・・・装着部、７０・・・呼吸パイプ収容部、７２・・・連通孔、７４・・・微細多孔質フィルム（多孔質フィルム）、８０・・・孔周壁面、８２・・・滴切壁、９０・・・呼吸パイプ、９０Ｂ・・・開放口、１００・・・装着部、１０２・・・呼吸パイプ収容部
【図１】
2010064503.tif 000003
【図２】
2010064503.tif 000004
【図３】
2010064503.tif 000005
【図４】
2010064503.tif 000006
【図５】
2010064503.tif 000007
【図６】
2010064503.tif 000008
【図７】
2010064503.tif 000009